(57)【要約】      （修正有）【課題】プラットホームに異常状態が生じたことを迅速に周知する方法及び装置を提供する。【解決手段】複数の撮影装置１００及び複数のＬＥＤ照明１１０が駅のプラットホームに沿ってデイジーチェーン接続された撮影装置群及びＬＥＤ照明群と、撮影装置群及びＬＥＤ照明群を制御するデータ管理装置２００と、を備える監視システムであって、データ管理装置は、撮影装置の夫々において撮影された周辺画像から、プラットホームの状態を検知する状態検知部２１０と、検知したプラットホームの状態に基づいて、少なくとも１のＬＥＤ照明の点灯状態を制御する制御部２２０と、を備える。【選択図】図４
2015140028.tif 000002
【特許請求の範囲】
【請求項１】
駅のプラットホームに沿ってデイジーチェーン接続された複数の撮影装置を有する撮影装置群と、前記プラットホームに沿ってデイジーチェーン接続された複数のＬＥＤ照明を有するＬＥＤ照明群と、前記撮影装置群及び前記ＬＥＤ照明群を制御する制御装置と、を備える監視システムであって、
前記制御装置は、
前記撮影装置の夫々において撮影された画像から、前記プラットホームの状態を検知する状態検知部と、
検知した前記プラットホームの状態に基づいて、少なくとも１の前記ＬＥＤ照明の点灯状態を制御する制御部と、
を備える監視システム。
【請求項２】
前記状態検知部は、前記プラットホーム内における緊急状態を検知する緊急状態検知部を備え、
前記制御部は、前記緊急状態が検知された場合、前記緊急状態を撮影した前記撮影装置の近傍に位置するＬＥＤ照明である第１ＬＥＤ照明の点灯状態を制御する、
請求項１に記載の監視システム。
【請求項３】
前記制御部は、前記緊急状態が前記プラットホームからの人の落下である場合、前記デイジーチェーン接続された複数のＬＥＤ照明のうち、前記第１ＬＥＤ照明からの距離が遠い第２ＬＥＤ照明から、前記第１ＬＥＤ照明からの距離が近い第３ＬＥＤ照明の順に点灯するように前記ＬＥＤ照明の点灯状態を制御する、
請求項２に記載の監視システム。
【請求項４】
前記制御部は、前記緊急状態が検知された場合、前記プラットホームの鉄道車両の進入側に位置するＬＥＤ照明の点灯状態を制御する、
請求項２又は３に記載の監視システム。
【請求項５】
前記状態検知部は、
前記プラットホームに存在する人の存在及び当該人の動作を検知する人検知部と、
前記プラットホームを通過した鉄道車両の本数を計数する通過車両計数部と、
を備え、
前記制御部は、通過した鉄道車両の本数が所定数を超える時間にわたって、前記人検知部が所定の動きをしている人を検知した場合、当該人を撮影した前記撮影装置の近傍に位置するＬＥＤ照明の発光色を変更する、
請求項１から４のいずれかに記載の監視システム。
【請求項６】
前記状態検知部は、前記プラットホームに止まっている鉄道車両の乗車口の開閉状態を検知する開閉検知部を備え、
前記制御部は、前記開閉検知部が前記乗車口が開いていることを検知すると、前記乗車口の近傍に位置する前記ＬＥＤ照明の発光量を増大する、
請求項１から５のいずれかに記載の監視システム。
【請求項７】
駅のプラットホームに沿ってデイジーチェーン接続された複数の撮影装置を有する撮影装置群と、前記プラットホームに沿ってデイジーチェーン接続された複数のＬＥＤ照明を有するＬＥＤ照明群と、を制御するコンピュータが実行する、
前記撮影装置の夫々において撮影された画像から、前記プラットホームの状態を検知するステップと、
検知した前記プラットホームの状態に基づいて、少なくとも１の前記ＬＥＤ照明の点灯状態を制御するステップと、
を含む監視方法。
【発明の詳細な説明】
【技術分野】
【０００１】
本発明は、駅のプラットホームの監視システム及び監視方法に関する。
【背景技術】
【０００２】
従来より、不特定多数の人物が利用する空間の安全を確認するため、この空間を複数のカメラで撮影し監視する監視システムが知られている。例えば、鉄道車両の駅等では、プラットホームの天井下に複数のカメラを設置し、鉄道車両を利用する乗客の安全を確認可能にしている。
【０００３】
複数のカメラを設けた監視システムでは、サーバと複数のカメラとを通信可能に接続する必要があるところ、特許文献１には、複数のカメラをデイジーチェーン接続し、夫々のカメラで取得された監視情報を他のカメラを経由してサーバに伝送する監視システムが開示されている。
【先行技術文献】
【特許文献】
【０００４】
【特許文献１】特開２０１２−１１９８９号公報
【発明の概要】
【発明が解決しようとする課題】
【０００５】
特許文献１の監視システムによれば、駅のプラットホーム内で異常な状態が生じたことを検知できるものの、検知した状態を駅員に対して迅速に伝えるための更なる工夫の余地があった。即ち、駅のプラットホームは細長い空間であるため、どこか一部の場所で異常状態が生じたとしても、この場所を特定することが困難であり、異常状態が生じた場所を周知する工夫が求められている。
【０００６】
本発明は、このような要望に鑑みてなされたものであり、プラットホームに異常状態が生じたことを迅速に周知する監視システム及び監視方法を提供することを目的とする。
【課題を解決するための手段】
【０００７】
上記課題を解決するために、本発明の第１の態様においては、駅のプラットホームに沿ってデイジーチェーン接続された複数の撮影装置を有する撮影装置群と、前記プラットホームに沿ってデイジーチェーン接続された複数のＬＥＤ照明を有するＬＥＤ照明群と、前記撮影装置群及び前記ＬＥＤ照明群を制御する制御装置と、を備える監視システムを提供する。上記の監視システムにおいて、前記制御装置は、前記撮影装置の夫々において撮影された画像から、前記プラットホームの状態を検知する状態検知部と、検知した前記プラットホームの状態に基づいて、少なくとも１の前記ＬＥＤ照明の点灯状態を制御する制御部と、を備える。
【０００８】
上記の監視システムにおいて、前記状態検知部は、前記プラットホーム内における緊急状態を検知する緊急状態検知部を備え、前記制御部は、前記緊急状態が検知された場合、前記緊急状態を撮影した前記撮影装置の近傍に位置するＬＥＤ照明である第１ＬＥＤ照明の点灯状態を制御することとしてもよい。
【０００９】
上記の監視システムにおいて、前記制御部は、前記緊急状態が前記プラットホームからの人の落下である場合、前記デイジーチェーン接続された複数のＬＥＤ照明のうち、前記第１ＬＥＤ照明からの距離が遠い第２ＬＥＤ照明から、前記第１ＬＥＤ照明からの距離が近い第３ＬＥＤ照明の順に点灯するように前記ＬＥＤ照明の点灯状態を制御することとしてもよい。
【００１０】
上記の監視システムにおいて、前記制御部は、前記緊急状態が検知された場合、前記プラットホームの鉄道車両の進入側に位置するＬＥＤ照明の点灯状態を制御することとしてもよい。
【００１１】
上記の監視システムにおいて、前記状態検知部は、前記プラットホームに存在する人の存在及び当該人の動作を検知する人検知部と、前記プラットホームを通過した鉄道車両の本数を計数する通過車両計数部と、を備え、前記制御部は、通過した鉄道車両の本数が所定数を超える時間にわたって、前記人検知部が所定の動きをしている人を検知した場合、当該人を撮影した前記撮影装置の近傍に位置するＬＥＤ照明の発光色を変更することとしてもよい。
【００１２】
上記の監視システムにおいて、前記状態検知部は、前記プラットホームに止まっている鉄道車両の乗車口の開閉状態を検知する開閉検知部を備え、前記制御部は、前記開閉検知部が、前記乗車口が開いていることを検知すると、前記乗車口の近傍に位置する前記ＬＥＤ照明の発光量を増大することとしてもよい。
【００１３】
本発明の第２の態様においては、駅のプラットホームに沿ってデイジーチェーン接続された複数の撮影装置を有する撮影装置群と、前記プラットホームに沿ってデイジーチェーン接続された複数のＬＥＤ照明を有するＬＥＤ照明群と、を制御するコンピュータが実行する、前記撮影装置の夫々において撮影された画像から、前記プラットホームの状態を検知するステップと、検知した前記プラットホームの状態に基づいて、少なくとも１の前記ＬＥＤ照明の点灯状態を制御するステップと、を含む監視方法を提供する。
【発明の効果】
【００１４】
本発明によれば、プラットホームに異常状態が生じたことを迅速に周知することができる。
【図面の簡単な説明】
【００１５】
【図１】実施形態に係る監視システムの構成例を示す図である。
【図２】監視システムの使用態様の一例を示す図である。
【図３Ａ】駅プラットホームにおける撮影装置の設置例を示す図である。
【図３Ｂ】駅プラットホームにおける撮影装置の設置例を示す図である。
【図４】データ管理装置の機能構成を示すブロック図である。
【図５】プラットホームの状態とＬＥＤ照明の点灯制御との関係を示す図である。
【図６】データ管理装置による点灯状態の制御例を示す図である。
【図７】監視システムの処理の流れを示すフローチャートである。
【発明を実施するための形態】
【００１６】
［監視システム１０の全体構成］
図１は、一実施形態に係る監視システム１０の全体構成を示す図であり、図２は、監視システム１０の使用態様の一例を示す図であり、図３Ａ，３Ｂは、撮影装置１０１及びＬＥＤ照明１１１の駅のプラットホームにおける設置例を示す図である。なお、図３Ａは、鉄道車両の進行方向から駅のプラットホームを見た図であり、図３Ｂは、鉄道車両の進行方向に対して直交する方向から駅のプラットホームを見た図である。
【００１７】
図１に示すように監視システム１０は、撮影装置群１００と、ＬＥＤ照明群１１０と、撮影装置群１００及びＬＥＤ照明群１１０と通信可能に接続されたデータ管理装置２００と、を含んで構成される。
なお、監視システム１０は、データ管理装置２００と撮影装置群１００及びＬＥＤ照明群１１０との間にハブ３００を備えてもよく、また、ハブ３００に接続される撮影装置群１００及びＬＥＤ照明群１１０を複数備えてもよい。この場合、例えば、夫々の撮影装置群１００及びＬＥＤ照明群１１０を、駅にある複数のプラットホームの夫々に設置することとしてもよい。また、監視システム１０は、撮影装置群１００で撮影された画像を表示するモニタ４００を備えてもよい。
【００１８】
撮影装置群１００は、複数の撮影装置１０１（撮影装置１０１−１、撮影装置１０１−２・・・撮影装置１０１−ｎ、ただしｎは３以上の自然数）が所定方向に沿ってデイジーチェーン接続されて構成される。なお、図３Ｂに示すように、本実施形態では、複数の撮影装置１０１は、駅のプラットホームＰの長さ方向（ＡからＢ）に沿ってデイジーチェーン接続される。
【００１９】
撮影装置１０１は、２つの撮像素子を有するステレオカメラであり、駅のプラットホームＰの上部（天井）に、夫々の撮影装置１０１の撮影範囲Ｒが隣接する撮影装置１０１の撮影範囲Ｒと重なり合うように設置される（図３Ｂ等参照）。
撮影装置１０１は、例えば、駅に停車中の鉄道車両のドアを含む周辺画像を俯瞰的に撮影する。なお、周辺画像には、鉄道車両を待つ乗客やプラットホームＰの様子、及び、ドアの周辺の鉄道車両の一部を撮影した画像が含まれる。図２に示したモニタ４００では、駅に停車中の鉄道車両のドア及びドア周辺の乗降客を含む周辺画像が表示されている。撮影装置１０１が撮影した周辺画像は、所定の通信線を介してデータ管理装置２００に送信される。
【００２０】
ＬＥＤ照明群１１０は、撮影装置１０１の夫々に対応付けられた複数のＬＥＤ照明１１１（ＬＥＤ照明１１１−１、ＬＥＤ照明１１１−２・・・ＬＥＤ照明１１１−ｎ、ただしｎは３以上の自然数）がデイジーチェーン接続されて構成される。また、ＬＥＤ照明群１１０は、撮影装置１０１の夫々に対応付けられ、デイジーチェーン接続された複数のＬＥＤ照明１１２（ＬＥＤ照明１１２−１、ＬＥＤ照明１１２−２・・・ＬＥＤ照明１１２−ｎ、ただしｎは３以上の自然数）を含むこととしてもよい。
複数のＬＥＤ照明１１１及びＬＥＤ照明１１２は、撮影装置１０１と同様に、駅のプラットホームＰの長さ方向（ＡからＢ）に沿ってデイジーチェーン接続される。
【００２１】
図３Ａ，３Ｂに示すように、ＬＥＤ照明１１１は、駅のプラットホームＰの上部（天井）に取り付けられ、プラットホームＰを照明する。また、ＬＥＤ照明１１２は、駅のプラットホームＰの線路側側面に取り付けられ、プラットホームＰの下部領域（線路近傍）を照明する。
【００２２】
なお、撮影装置１０１とＬＥＤ照明１１１との対応関係は任意であり、１の撮影装置１０１に対して複数のＬＥＤ照明１１１が対応付けられてもよく、また、１のＬＥＤ照明１１１が複数の撮影装置１０１に対応付けられていてもよい。撮影装置１０１とＬＥＤ照明１１２との対応関係も同様である。ただし、対応する撮影装置１０１とＬＥＤ照明１１１，１１２とは、駅のプラットホームＰの長さ方向において近傍の位置に設置されている。
【００２３】
［データ管理装置２００の機能構成］
図４は、データ管理装置２００の機能構成を示すブロック図である。データ管理装置２００は、状態検知部２１０と、制御部２２０と、記憶部２３０と、を含んで構成される。
なお、データ管理装置２００が備える状態検知部２１０乃至記憶部２３０のうちの１部の機能を複数の撮影装置１０１の夫々が備えることとしてもよい。即ち、本発明の制御装置（コンピュータ）は、データ管理装置２００により実現されることとしてもよく、また、複数の撮影装置１０１の夫々により実現されることとしてもよく、また、データ管理装置２００と複数の撮影装置１０１の夫々とにより実現されることとしてもよい。
【００２４】
状態検知部２１０は、撮影装置１０１の夫々において撮影された周辺画像から、駅のプラットホームＰの状態を検知する。状態検知部２１０が検知するプラットホームＰの状態は様々であり、例えば、プラットホームＰで生じた緊急状態や、プラットホームＰ上の人の動作等が含まれる。
そこで、状態検知部２１０は、緊急状態検知部２１１と、人検知部２１２と、通過車両計数部２１３と、開閉検知部２１４と、を含んで構成される。
【００２５】
緊急状態検知部２１１は、プラットホームＰ内における緊急状態を検知する。緊急状態検知部２１１が検知する緊急状態としては、例えば、プラットホームＰから線路への人の落下や、プラットホームＰにおける急病人、乗客間トラブル等が含まれる。
なお、プラットホームＰから線路への人の落下の検知は、任意の方法により実現することができ、例えば、上記特許文献１等に記載された公知の方法により実現することができる。また、急病人や乗客間トラブルは、任意の方法により検知することができ、例えば、プラットホームＰの一部の領域のみに人が密集している場合に、緊急状態検知部２１１は、急病人や乗客間トラブルが生じたことを検知することとしてもよい。
【００２６】
人検知部２１２は、プラットホームＰに存在する人の存在及び当該人の動作を検知する。通過車両計数部２１３は、プラットホームＰを通過した鉄道車両の本数を計数する。
これら人検知部２１２及び通過車両計数部２１３は、鉄道車両が所定数通過したにもかかわらず、鉄道車両に乗ることなくプラットホームＰに留まっている人を検知するために用いられる。
【００２７】
開閉検知部２１４は、プラットホームＰに止まっている鉄道車両の乗車口の開閉状態を検知する。言い換えると、開閉検知部２１４は、プラットホームＰに鉄道車両が止まっている状態で、この鉄道車両に人が乗り降りする様子を監視する。
【００２８】
制御部２２０は、状態検知部２１０が検知したプラットホームＰの状態に基づいて、ＬＥＤ照明群１１０のうちの少なくとも１のＬＥＤ照明１１１，１１２の点灯状態を制御する。ここで、制御部２２０は、プラットホームＰの状態に応じて異なる数のＬＥＤ照明１１１，１１２の点灯状態を制御することとしてもよい。一例として、制御部２２０は、プラットホームＰの広い範囲において異常な状態が生じた場合には多くのＬＥＤ照明１１１，１１２の点灯状態を制御する一方で、プラットホームＰの狭い範囲において異常な状態が生じた場合には少ないＬＥＤ照明１１１，１１２の点灯状態を制御する。また、制御部２２０は、プラットホームＰに生じた異常な状態が緊急性の高い状態（緊急状態）である場合には、多くのＬＥＤ照明１１１，１１２の点灯状態を制御する等してもよい。
なお、点灯状態の制御には、ＬＥＤ照明１１１，１１２の発光態様（点滅、発光色）を制御することに加え、ＬＥＤ照明１１１，１１２の発光量（明るさ）を制御することを含む。
【００２９】
記憶部２３０は、撮影装置群１００を構成する複数の撮影装置１０１の夫々において撮影された周辺画像を記憶する。また、記憶部２３０は、プラットホームＰの状態とＬＥＤ照明１１１，１１２の点灯状態の制御との関係性を記憶する。
制御部２２０は、記憶部２３０に記憶された関係性に従い、プラットホームＰの状態に応じてＬＥＤ照明１１１，１１２の点灯状態を制御する。
【００３０】
［ＬＥＤ照明１１１，１１２の点灯状態の制御例］
続いて、図５を参照して、制御部２２０によるＬＥＤ照明１１１，１１２の点灯状態の制御例について説明する。図５は、プラットホームＰの状態とＬＥＤ照明１１１，１１２の点灯状態の制御との関係性の一例を示す図である。
【００３１】
例えば、人がプラットホームＰの線路側端を歩いている場合、制御部２２０は、この人の近傍のＬＥＤ照明１１１の点灯状態を制御し、このＬＥＤ照明１１１を黄色で発光させる。より具体的には、状態検知部２１０の人検知部２１２が、撮影された周辺画像からプラットホームＰの線路側端を歩いている人を検知すると、制御部２２０は、この周辺画像を撮影した撮影装置１０１に対応するＬＥＤ照明１１１の発光色を変更し、黄色で発光させる。これにより、プラットホームＰの線路側端を歩く人に対して注意を促すことができる。
なお、制御部２２０は、プラットホームＰの線路端側を歩く人の前方に位置するＬＥＤ照明１１１を黄色で発光し、後方に位置するＬＥＤ照明１１１を通常の色（白色）で発光することとしてもよい。このような制御は、人検知部２１２が人の動線を監視し、プラットホームＰの線路端側を歩く人の進行方向を検知することで実現することができる。
【００３２】
また、児童がプラットホームＰの線路側端にいる場合、制御部２２０は、この児童の近傍のＬＥＤ照明１１１の点灯状態を制御し、このＬＥＤ照明１１１を橙色で発光させる。より具体的には、状態検知部２１０の人検知部２１２が、撮影された周辺画像からプラットホームＰの線路側端に児童がいることを検知すると、制御部２２０は、この周辺画像を撮影した撮影装置１０１に対応するＬＥＤ照明１１１の発光色を変更し、橙色で発光させる。
これにより、児童の周囲にいる人に対して注意を促すことができる。
【００３３】
また、プラットホームＰにおいて全体的に人が密集している場合、制御部２２０は、プラットホームＰに設置されたＬＥＤ照明１１１の全ての点灯状態を制御し、このＬＥＤ照明１１１を薄い黄色で発光する。より具体的には、状態検知部２１０の人検知部２１２が、撮影された周辺画像からプラットホームＰの人口密度が所定以上であることを検知すると、制御部２２０は、全てのＬＥＤ照明１１１の発光色を変更し、薄い黄色で発光させる。
これにより、プラットホームＰが混雑していることを周知することができ、駅員や乗客に対して注意を促すことができる。
【００３４】
また、プラットホームＰの一部の領域に人が密集している場合、制御部２２０は、密集している領域の近傍のＬＥＤ照明１１１の点灯状態を制御し、このＬＥＤ照明１１１を薄い赤色で発光させる。より具体的には、状態検知部２１０の緊急状態検知部２１１が、撮影された周辺画像からプラットホームＰの他の領域と比べて人口密度の高い領域を検知すると、制御部２２０は、この領域を撮影した撮影装置１０１に対応するＬＥＤ照明１１１の発光色を変更し、薄い赤色で発光させる。
これにより、プラットホームＰの一部の領域のみに人が密集する急病人や乗客間トラブルのような緊急事態発生時に、その領域を駅員に対して迅速に伝えることができる。
【００３５】
また、プラットホームＰから線路に人が落下した場合、制御部２２０は、落下地点の近傍のＬＥＤ照明１１１，１１２を赤色で発光させるとともに、このＬＥＤ照明１１１，１１２に向かって光が流れるように、デイジーチェーン接続された複数のＬＥＤ照明１１１，１１２の点灯状態を制御する。即ち、状態検知部２１０の緊急状態検知部２１１が、撮影された周辺画像から線路への人の落下を検知すると、制御部２２０は、落下地点の近傍のＬＥＤ照明１１１，１１２の点灯状態を制御する。
【００３６】
ここで、線路落下時の点灯制御の具体例を図６に示す。図中、地点Ｘは、落下地点を示し、撮影装置１０１ａは、この地点Ｘを撮影する撮影装置１０１を示す。また、ＬＥＤ照明１１１ａ，１１２ａは、撮影装置１０１ａに対応付けられたＬＥＤ照明１１１，１１２を示す。
【００３７】
制御部２２０は、線路への落下を撮影した撮影装置１０１に対応するＬＥＤ照明１１１ａ，１１２ａの発光色を赤色に変更し、落下地点である地点Ｘを赤く照らす。また、制御部２２０は、デイジーチェーン接続された複数のＬＥＤ照明１１１，１１２のうちの赤色で発光させたＬＥＤ照明１１１ａ，１１２ａ（第１ＬＥＤ照明）から所定範囲にある複数のＬＥＤ照明１１１，１１２の点灯状態を制御する。具体的には、制御部２２０は、この所定範囲にある複数のＬＥＤ照明１１１，１１２のうち、赤色で発光させたＬＥＤ照明１１１ａ，１１２ａからの距離が遠いＬＥＤ照明１１１ｄ，１１２ｄ（第２ＬＥＤ照明）から、赤色で発光させたＬＥＤ照明１１１ａ，１１２ａからの距離が近いＬＥＤ照明１１１ｂ，１１２ｂ（第３ＬＥＤ照明）の順に点灯するように、ＬＥＤ照明１１１，１１２の点灯状態を制御する。
これにより、所定範囲にある複数のＬＥＤ照明１１１，１１２は、赤色で発光させたＬＥＤ照明１１１ａ，１１２ａに向かって光が流れるように、点灯状態が制御される。
【００３８】
図５に戻り、また、プラットホームＰから線路に人が落下した場合、制御部２２０は、デイジーチェーン接続された複数のＬＥＤ照明１１１，１１２のうち、プラットホームＰの鉄道車両の進入側（プラットホームＰの後端）に設置されたＬＥＤ照明１１１，１１２を赤色で発光させる。
これにより、線路落下時のような緊急事態発生時に、プラットホームＰの後端が赤色で発光することになるため、プラットホームＰに進入する鉄道車両の運転士に対して緊急状態（落下）を周知することができる。なお、線路落下時に限らず、他の緊急事態発生時であっても、プラットホームＰの鉄道車両の進入側のＬＥＤ照明１１１，１１２を赤色で発光させ、プラットホームＰに進入する鉄道車両の運転士に対して緊急状態を周知することとしてもよい。
【００３９】
また、線路落下や急病人発生等の緊急事態発生時には、ＬＥＤ照明１１１，１１２の点灯状態を制御するだけでなく、プラットホームＰに設けられたブザー等の音発生装置を用いて緊急事態の発生を報知することとしてもよい。即ち、制御部２２０は、状態検知部２１０の緊急状態検知部２１１が緊急状態を検知すると、警報音を出力するように音発生装置を制御することとしてもよい。
これにより、プラットホームＰにいる駅員等に対して、警報音に基づいて緊急状態の発生が報知することができるとともに、ＬＥＤ照明１１１，１１２の点灯状態に基づいて緊急状態の発生場所を周知することができる。
【００４０】
図５に戻り、また、鉄道車両が所定数経過したにも関わらず、鉄道車両に乗車することなくプラットホームＰ上で所定の動きを繰り返す人がいる場合、制御部２２０は、この人の近傍のＬＥＤ照明１１１の点灯状態を制御し、このＬＥＤ照明１１１を青色で発光させる。より具体的には、撮影された周辺画像から、状態検知部２１０の通過車両計数部２１３が所定数を超える本数の鉄道車両の通過を計数するまでの時間にわたって、状態検知部２１０の人検知部２１２が所定の動きをしている人を検知すると、制御部２２０は、この周辺画像を撮影した撮影装置１０１に対応するＬＥＤ照明１１１の発光色を変更し、青色で発光させる。なお、人検知部２１２が検知する所定の動きとは、例えば、プラットホームＰの先端側又は後端側において、鉄道車両を所定数見送る動きをいい、プラットホームＰに設けられたベンチに座って鉄道車両を見送ることを含まない。
プラットホームＰの先端又は後端は、相対的に人が少なく、プラットホームＰから線路への落下等が起こりやすい。そこで、制御部２２０は、プラットホームＰの先端又は後端に不要に滞留している人がいる場合、その周囲を青色で照明し、その人を冷静にさせる。
【００４１】
また、プラットホームＰに止まっている鉄道車両に人が乗り降りしている場合、制御部２２０は、鉄道車両のドアの近傍のＬＥＤ照明１１１，１１２の点灯状態を制御し、このＬＥＤ照明１１１，１１２の発光量を増大させる。より具体的には、撮影された周辺画像から、状態検知部２１０の開閉検知部２１４がプラットホームＰに止まっている鉄道車両の乗車口が開いていることを検知すると、制御部２２０は、この周辺画像を撮影した撮影装置１０１に対応するＬＥＤ照明１１１，１１２の発光量を増大する。
これにより、鉄道車両への乗り降りの安全性を高めることができるとともに、車掌がドアを閉める際の乗り降りの完了確認を確実に行うことができる。
【００４２】
なお、鉄道車両への乗り降りの際の発光量の増大は、周囲が明るい場合には必ずしも行う必要はない。そのため、制御部２２０は、日中等の所定の時間帯又はプラットホームＰの照度が所定以上である場合には、発光量を増大することなく、早朝や夜間等の時間帯又はプラットホームＰの照度が所定未満である場合に限り、乗車口近傍のＬＥＤ照明１１１，１１２の発光量を増大することとしてもよい。
【００４３】
以上、プラットホームＰの状態に基づくＬＥＤ照明１１１，１１２の点灯状態の制御例について説明した。なお、制御した点灯状態を元に戻すタイミングは、任意のタイミングとすることができ、一例として、駅員の操作に基づいて元に戻すこととしてもよく、また、点灯状態を制御してから所定時間が経過した後に元に戻すこととしてもよい。また、プラットホームＰの状態に基づいて元に戻すこととしてもよく、この場合には、状態検知部２１０がプラットホームＰの状態が通常の状態に戻ることを検知することを条件に、制御部２２０が点灯状態を元に戻すこととしてもよい。
【００４４】
また、制御した点灯状態を元に戻すタイミングは、プラットホームＰの状態に基づいて異なることとしてもよい。例えば、プラットホームＰの状態が緊急状態であることに基づいて点灯状態が制御された場合には、駅員の操作に基づいて点灯状態を元に戻す。他方、プラットホームＰの状態がその他の状態（線路側端を歩く等）であることに基づいて点灯状態が制御された場合には、状態検知部２１０がその状態を検知しなくなることに基づいて点灯状態を元に戻すこととしてもよい。
【００４５】
［監視システム１０の処理］
続いて、図７を参照して、本発明の監視システム１０の処理の流れについて説明する。
初めに、撮影装置１０１は、プラットホームＰを撮影し、撮影した周辺画像をデータ管理装置２００に送信する（ステップＳ１）。続いて、データ管理装置２００の状態検知部２１０は、周辺画像からプラットホームＰの状態を検知する（ステップＳ２）。
【００４６】
続いて、状態検知部２１０は、プラットホームＰの状態が所定の状態であるか否かを判定する（ステップＳ３）。一例として、予め所定の状態に対応する特徴を記憶しておき、撮影した周辺画像がこの特徴に合致するか否かにより、状態検知部２１０はプラットホームＰの状態が所定の状態であるか否かを判定する。この判定がＹＥＳのときは、処理はステップＳ４に移り、ＮＯのときは、処理は終了する。
【００４７】
ステップＳ４では、制御部２２０は、プラットホームＰの状態に基づいてＬＥＤ照明１１１，１１２の点灯状態を制御する（図５参照）。なお、プラットホームＰの状態が緊急状態である場合には、制御部２２０は、プラットホームＰに設置されたブザー等の音発生装置を制御し、音発生装置から警報音を発生させることとしてもよい。
【００４８】
続いて、制御部２２０は、点灯状態を戻すタイミングであるか否かを判定する（ステップＳ５）。一例として、駅員等の操作があった場合や、状態検知部２１０が所定の状態を検知しなくなった場合等に、制御部２２０は、点灯状態を戻すタイミングであると判定する。点灯状態を戻すタイミングになると、制御部２２０は、ステップＳ４で制御した点灯状態を元に戻し（ステップＳ６）、処理を終了する。
【００４９】
［監視システム１０における効果］
以上、本発明の監視システム１０の実施形態について説明した。続いて、監視システム１０における効果について説明する。
【００５０】
本発明の監視システム１０では、駅のプラットホームＰの長さ方向に沿って、複数の撮影装置１０１及び複数のＬＥＤ照明１１１，１１２の夫々をデイジーチェーン接続し、プラットホームＰの状況を複数の撮影装置１０１で撮影する。データ管理装置２００は、撮影装置１０１が撮影した周辺画像を解析し、周辺画像の特徴からプラットホームＰの状態を検知する。そして、データ管理装置２００は、検知したプラットホームＰの状態に基づいて少なくとも１のＬＥＤ照明１１１，１１２、即ち、周辺画像を撮影した撮影装置１０１の近傍に位置するＬＥＤ照明１１１，１１２の点灯状態を制御する。
これにより、プラットホームＰに設置された複数の撮影装置１０１のうちの１の撮影装置１０１がプラットホームＰの異常状態を撮影した場合に、異常状態が生じた場所の近傍に位置するＬＥＤ照明１１１，１１２の点灯状態が制御される。その結果、監視システム１０では、プラットホームＰのような細長い空間の中の異常状態が生じた一部の場所を、駅員等に対して迅速に周知することができる。
【００５１】
また、本発明の監視システム１０では、制御部２２０は、プラットホームＰの状態に応じて異なる数のＬＥＤ照明１１１，１１２の点灯状態を制御する。これにより、プラットホームＰの状態に応じて周知の度合いを異ならせることができ、例えば、緊急性の高い緊急状態が生じた場合には、駅員等に対して迅速に周知することができる。
【００５２】
また、本発明の監視システム１０では、プラットホームＰから線路への人の落下や、プラットホームＰにおける急病人、乗客間トラブル等の緊急状態を検知する緊急状態検知部２１１を備え、制御部２２０は、緊急状態が検知された場合に、緊急状態を撮影した撮影装置１０１の近傍に位置するＬＥＤ照明１１１，１１２の点灯状態を制御する。これにより、プラットホームＰにおける緊急状態が生じた場所を、駅員等に対して迅速に周知することができる。
【００５３】
また、本発明の監視システム１０では、緊急状態がプラットホームＰからの人の落下である場合、制御部２２０は、緊急状態が生じた場所に向かって光が流れるように、デイジーチェーン接続された複数のＬＥＤ照明１１１，１１２の点灯状態を制御する。これにより、駅員は、落下場所を迅速に把握することができ、迅速な救助活動を行うことができる。
【００５４】
また、本発明の監視システム１０では、緊急状態が検知された場合、プラットホームＰの鉄道車両の進入側に位置するＬＥＤ照明１１１，１１２の点灯状態を制御する。これにより、プラットホームＰに進入する鉄道車両の運転士に対して緊急状態を周知することができ、鉄道車両の安全な運行を実現することができる。
【００５５】
また、本発明の監視システム１０では、通過した鉄道車両の本数が所定数を超える時間にわたって、所定の動きをしている人を検知した場合、当該人を撮影した撮影装置１０１の近傍に位置するＬＥＤ照明１１１の発光色を青色に発光する。これにより、プラットホームＰに不要に滞留している人を冷静にさせることができる。
【００５６】
また、本発明の監視システム１０では、プラットホームＰに止まっている鉄道車両の乗車口が開いている場合、乗車口の近傍に位置するＬＥＤ照明１１１の発光量を増大する。これにより、鉄道車両への乗り降りの安全性を高めることができるとともに、車掌がドアを閉める際の乗り降りの完了確認を確実に行うことができる。
【００５７】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００５８】
１０・・・監視システム、１００・・・撮影装置群、１０１・・・撮影装置、１１０・・・ＬＥＤ照明群、１１１・・・ＬＥＤ照明、１１２・・・ＬＥＤ照明、２００・・・データ管理装置、２１０・・・状態検知部、２２０・・・制御部、２３０・・・記憶部、３００・・・ハブ、４００・・・モニタ
【図１】
2015140028.tif 000003
【図２】
2015140028.tif 000004
【図３Ａ】
2015140028.tif 000005
【図３Ｂ】
2015140028.tif 000006
【図４】
2015140028.tif 000007
【図５】
2015140028.tif 000008
【図６】
2015140028.tif 000009
【図７】
2015140028.tif 000010